(57)【要約】【課題】入手性の良いＪＩＳ規格の六角ナットを用いた場合でも、スムーズに挿入でき、また、不意な振動や回転が加わった場合でも脱落することなく、しかも部品の廃棄時には容易に分別できるようにする。【解決手段】部品本体２に設けられ、Ｖ字状の載置面３ａを有する載置部３と、載置部３に載置されてそのＶ字状の載置面３ａに沿って押し込まれる六角ナット５を両内側壁面６ｂに沿って所定位置までガイドする挿入ガイド６と、部品本体２に設けられ、所定位置までガイドされて下方に押し込まれる六角ナット５を収納する凹陥部７と、この凹陥部７の壁面に設けられ、凹陥部７に収納される六角ナット５のネジ穴５ｂに対向するボルト挿入用の穴部９と、凹陥部７の内壁面７ａに突設され、六角ナット５が凹陥部７内に押し込められる際に押し潰されて六角ナット５を押圧保持する突条部１０と、凹陥部７の底部に設けられ、六角ナット５を押し外すための取外具を挿入させる開口部１１とを備える。【選択図】    図２
2010156356.tif 000002
【特許請求の範囲】
【請求項１】
樹脂製の部品本体と、
この部品本体に設けられ、六角ナットの隣接する二側面のなす角度と略同一の角度をなすＶ字状の載置面を有し、前記六角ナットをその隣接する二側面を前記Ｖ字状の載置面に沿わせて載置する載置部と、
前記部品本体に設けられ、前記載置部に載置されてそのＶ字状の載置面に沿って押し込まれる前記六角ナットを両内側壁面に沿って所定位置までガイドするガイド手段と、
前記部品本体に設けられ、前記所定位置までガイドされて下方に押し込まれる前記六角ナットを収納する凹陥部と、
この凹陥部の壁面に設けられ、前記凹陥部に収納される前記六角ナットのネジ穴に対向するボルト挿入用の穴部と，
前記凹陥部の内壁面に突設され、前記六角ナットが前記凹陥部内に押し込められる際に押し潰されて前記六角ナットを押圧保持する保持用突起部と、
前記凹陥部の底部に設けられ、前記六角ナットを押し外すための取外具を挿入させる開口部と
を備えたことを特徴とする樹脂部品。
【請求項２】
前記ガイド手段は横断面凹状に形成され、先端側に前記押し込まれる六角ナットを導入させるための開口部を有し、その開口緑部を前記載置面の両側部側に延長させたことを特徴とする請求項１記載の樹脂部品。
【請求項３】
前記保持用突起部は前記凹陥部の両内壁面に垂直に突設される突条部であることを特徴とする請求項１または２記載の樹脂部品。
【発明の詳細な説明】
【技術分野】
【０００１】
本発明は、金属製の六角ナットを取り付ける樹脂部品に関する。
【背景技術】
【０００２】
樹脂部品にはその締結や、固定作業を容易化するために、予め金属製のナットや、ボルトをインサートした状態で樹脂成型されるものがある。
【０００３】
ところで、近年においては、リサイクル可能なものづくりが進められている。
【０００４】
しかしながら、金属製のナットやボルトがインサートされている樹脂部品は、そのままの状態ではリサイクルが困難である。
【０００５】
このため、廃棄時には金属部分と樹脂部分とを分別できることが要求されている。
【０００６】
そこで、廃棄時の分別を考慮して樹脂部品を成形したのちに、ナットを樹脂部品へ挿入できるようにしたものが考えられている（例えば、特許文献１参照）。
【特許文献１】特開平９−２９６８１５号公報
【発明の開示】
【発明が解決しようとする課題】
【０００７】
しかしながら、従来においては、樹脂部品にナットを挿入する場合には、ナット自体が特殊な形状であったり、挿入するための工具として特殊な専用工具が必要とされていた。
【０００８】
また、通常のＪＩＳ規格の六角ナットを挿入できるようにした構造の樹脂部品も考えられているが、六角ナットの向き調整が容易ではなく、スムーズな挿入が困難であったり、挿入完了後の不意な振動や回転によって脱落してしまう虞があった。
【０００９】
本発明は上記事情に着目してなされたもので、その目的とするところは、入手性の良いＪＩＳ規格の六角ナットであっても、スムーズに挿入でき、また、不意な振動や回転が加わった場合でも脱落することなく、しかも部品の廃棄時には容易に分別が可能な樹脂部品を提供することにある。
【課題を解決するための手段】
【００１０】
上記課題を解決するため、請求項１記載のものは、樹脂製の部品本体と、この部品本体に設けられ、六角ナットの隣接する二側面のなす角度と略同一の角度をなすＶ字状の載置面を有し、前記六角ナットをその隣接する二側面を前記Ｖ字状の載置面に沿わせて載置する載置部と、前記部品本体に設けられ、前記載置部に載置されてそのＶ字状の載置面に沿って押し込まれる前記六角ナットを両内側壁面に沿って所定位置までガイドするガイド手段と、前記部品本体に設けられ、前記所定位置までガイドされて下方に押し込まれる前記六角ナットを収納する凹陥部と、この凹陥部の壁面に設けられ、前記凹陥部に収納される前記六角ナットのネジ穴に対向するボルト挿入用の穴部と、前記凹陥部の内壁面に突設され、前記六角ナットが前記凹陥部内に押し込められる際に押し潰されて前記六角ナットを押圧保持する保持用突起部と、前記凹陥部の底部に設けられ、前記六角ナットを押し外すための取外具を挿入させる開口部とを備えたことを特徴とする。
【発明の効果】
【００１１】
本発明によれば、入手性の良いＪＩＳ規格の六角ナットを用いた場合でも、スムーズに挿入でき、また、不意な振動や回転が加わった場合でも脱落することなく、しかも部品の廃棄時には容易に分別が可能な樹脂部品を提供することができる。
【発明を実施するための最良の形態】
【００１２】
以下、本発明の実施の形態を図面を参照して詳細に説明する。  
図１は樹脂部品１を示す斜視図で、図２はその正面図、図３はその平面図、図４は図３中Ａ−Ａ線に沿って示す断面図である。
【００１３】
樹脂部品１は部品本体２を有し、この部品本体２には六角ナットを載置するための載置部３が設けられている。この載置部３はＶ字状に折曲形成され、上面がＶ字状の載置面３ａとなっている。Ｖ字状の載置面３ａの角度は、六角ナット５の隣接する二側面５ａのなす角度と略同一の角度となっている。六角ナット５の取付時には、図２に示すようにその下部側の隣接する二側面５ａ，５ａを載置部３のＶ字状の載置面３ａ上に沿わせた状態で載置されてその向きが調整されてから載置面３ａに沿って後方に押し込まれるようになっている。
【００１４】
また、部品本体２には載置部３の後方に位置して横断面凹状をなすガイド手段としての挿入ガイド６が突設されている。この挿入ガイド６はその先端面側に開口部６ａを有し、押し込まれてくる六角ナット５を開口部６ａから受け入れてその両内側壁面６ｂに沿ってガイドするようになっている。挿入ガイド６の開口部６ａの開口端緑は、載置部３の載置面３ａの両側部側まで延長されており、押し込まれてくる六角ナット５の向きを一定に保つことができるようになっている。
【００１５】
さらに、部品本体２には、挿入ガイド６によって囲まれる空間領域に連続するように凹陥部７が形成され、この凹陥部７内に六角ナット５が収納保持されるようになっている。この凹陥部７の背壁面には、ボルトを挿入させるための穴部９が形成されている。
【００１６】
また、上記した凹陥部７の両内側壁面７ａ間の距離は、挿入ガイド６の両内側壁面６ｂ間の距離と略等しくされ、挿入ガイド６の内側壁面６ｂと凹陥部７の内側壁面７ａに渡って保持用突起部としての突条部１０が垂直方向に沿って突設されている。
【００１７】
また、凹陥部７の内底部には、六角ナット５を取り外すためのマイナスドライバーなどの取外具を挿入させるための開口部１１が穿設されている。
【００１８】
次に、六角ナット５を部品本体２に取り付ける場合について図５〜図９に基づいて説明する。
【００１９】
まず、図５、図６に示すように、六角ナット５をその下部側の隣接する二側面５ａ，５ａを載置部３のＶ字状の載置面３ａ上に沿わせた状態で載置する。これにより、六角ナット５の向きが一定の向きに調整される。この載置後、図７に示すように六角ナット５を載置面３ａに沿って後方へ押し込む。この押し込まれる六角ナット５は挿入ガイド６の開口部６ａから内部に挿入され、その両内側壁面６ｂに沿って向きがずれることなく、スムーズに奥方向へとガイドされる。このように押し込まれる六角ナット５が凹陥部７の上部側に至ると、両内側壁面６ｂによって向きが固定された状態で、マイナスドライバーなどの工具を用いて図８及び図９に示すように、下方に押し込まれて凹陥部７内に収納される。この六角ナット５の下方への押し込み時には、六角ナット５の両側面５ａによって挿入ガイド６の両内側壁面６ｂと凹陥部７の両内側壁面７ａの突条部１０が徐々に押し潰される。これにより、六角ナット５はその両側面５ａ側から横方向の押圧保持力を受け、固定的に保持される。凹陥部７内に収納保持された六角ナット５は、そのネジ穴５ｂが穴部９に対向し、取り付けを終える。
【００２０】
次に、上記したように六角ナット５が取り付けられた樹脂部品１を廃棄処分する場合について説明する。
【００２１】
金属製の六角ナット５が取り付けられた樹脂部品１を廃棄処分する場合には、部品本体２と六角ナット５とを分別処理しなければならない。
【００２２】
この場合には、部品本体２の凹陥部７の底面の開口部１１内にその下部側からマイナスドライバ等の工具を挿入して六角ナット５を上方へ押し上げる。これにより六角ナット５は凹陥部７から上方へ取り出されることになる。このようにして分別したのち、部品本体２と六角ナット５とを廃棄する。
【００２３】
なお、上記したように六角ナット５を取り付けた樹脂部品１は、図１０に示すように被取付部１４に対し、ボルト１３が部品本体２の開口部１１を介して六角ナット５のねじ穴５ｂに螺挿されることにより締結固定される。
【００２４】
上記したように、この実施の形態によれば、部品本体２に六角ナット５の隣接する二側面５ａのなす角度と略等しい角度を有するＶ字状の載置面３ａを形成し、この載置面３ａ上に六角ナット５の二側面５ａを沿わせて載置するため、六角ナット５を載置面３ａ上に載置するだけでその向きを容易に調整できる。
【００２５】
また、載置面３ａに沿って押し込まれる六角ナット５を挿入ガイド６の両内側壁面６ｂに沿ってガイドするため、押し込み時に六角ナット５の向きがずれることなく、凹陥部７の上部側に導くことができる。
【００２６】
また、凹陥部７内に押し込まれる六角ナット５は、凹陥部７の内壁面７ａによって向きが固定されるため、向きがずれることなくスムーズに凹陥部７内に挿入することができる。
【００２７】
さらに、六角ナット５の凹陥部７内への押し込み時には、その側面部で凹陥部７の内壁面７ａの突条部１０を押し潰すため、六角ナット５は突条部１０により横方向から押圧保持された状態で収納されることになり、六角ナット５の脱落を確実に防止することができる。
【００２８】
凹陥部７の底面には開口部１１を設けるため、開口部１１からマイナスドライバ等の工具を挿入して六角ナット５を押し上げるだけで取り出すことができ、分別作業が容易になる。
【００２９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３０】
【図１】本発明の一実施の形態である樹脂部品を示す斜視図。
【図２】図１の樹脂部品を示す正面図。
【図３】図１の樹脂部品を示す平面図。
【図４】図３のＡ−Ａ線に沿って示す断面図。
【図５】図１の樹脂部品に対する六角ナットの取付動作を示す図。
【図６】図１の樹脂部品に対する六角ナットの取付動作を示す図。
【図７】図１の樹脂部品に対する六角ナットの取付動作を示す図。
【図８】図１の樹脂部品に対する六角ナットの取付動作を示す図。
【図９】図１の樹脂部品に対する六角ナットの取付動作を示す図。
【図１０】図１の樹脂部品をボルトによって被取付部に締結固定した状態を示す図。
【符号の説明】
【００３１】
２…部品本体、３ａ…載置面、３…載置部、５…六角ナット、６…ガイド手段、６ａ…開口部、７…凹陥部、９…挿入穴、１０…突条部（保持用突起部）、１１…開口部、１３…ボルト。
【図１】
2010156356.tif 000003
【図２】
2010156356.tif 000004
【図３】
2010156356.tif 000005
【図４】
2010156356.tif 000006
【図５】
2010156356.tif 000007
【図６】
2010156356.tif 000008
【図７】
2010156356.tif 000009
【図８】
2010156356.tif 000010
【図９】
2010156356.tif 000011
【図１０】
2010156356.tif 000012